(57)【要約】【課題】容易に製造でき、かつ、電波特性の変化を抑制できるパラボラアンテナ装置を提供する。【解決手段】パラボラアンテナ装置は、椀状に形成されたパラボラ反射鏡２と、パラボラ反射鏡２の内面１１に向けて電磁波を放射する放射器と、パラボラ反射鏡２の周縁から径方向においてパラボラ反射鏡２の内側に延び、延長方向の先端部において放射器を支持する複数のステー４と、を備える。パラボラ反射鏡２の周縁側に位置する各ステー４の延長方向の基端部４Ｂは、パラボラ反射鏡２の外周面１３に突き当てた状態でパラボラ反射鏡２の外面側に固定されたベース部７に取り付けられている。【選択図】図７
2019134275.tif 000002
【特許請求の範囲】
【請求項１】
椀状に形成されたパラボラ反射鏡と、
前記パラボラ反射鏡の内面に向けて電磁波を放射する放射器と、
前記パラボラ反射鏡の周縁から径方向において前記パラボラ反射鏡の内側に延び、延長方向の先端部において前記放射器を支持する複数のステーと、を備え、
前記パラボラ反射鏡の周縁側に位置する各ステーの延長方向の基端部が、前記パラボラ反射鏡の外周面に突き当てた状態で前記パラボラ反射鏡の外面側に固定されたベース部に取り付けられているパラボラアンテナ装置。
【請求項２】
前記ベース部が、前記内面と前記外周面との境界線に対して位置決めされる請求項１に記載のパラボラアンテナ装置。
【請求項３】
前記パラボラ反射鏡が、該パラボラ反射鏡の周方向に配列された複数の周方向分割体を備え、
前記ベース部が、前記周方向に隣り合う二つの前記周方向分割体の外周面に突き当てられると共に、一方の前記周方向分割体の前記境界線に対して位置決めされる請求項２に記載のパラボラアンテナ装置。
【請求項４】
前記パラボラ反射鏡が、前記内面及び前記外面をなす椀状板部と、前記椀状板部の周縁から前記パラボラ反射鏡の軸方向において前記椀状板部の外面側に延びて前記外周面をなす環状リブと、前記椀状板部の外面から突出すると共に前記環状リブの内周面から前記椀状板部の径方向内側に延びる径方向リブと、を備え、
前記ベース部は、前記環状リブのうち前記径方向リブが接続された部位に突き当てられる請求項１から請求項３のいずれか一項に記載のパラボラアンテナ装置。
【請求項５】
前記パラボラ反射鏡が、前記内面及び前記外面をなす椀状板部と、前記椀状板部の周縁から前記パラボラ反射鏡の軸方向において前記椀状板部の外面側に延びて前記外周面をなす環状リブと、を備え、
前記ベース部が、前記環状リブの外周面のうち前記環状リブの延長方向の基端部に突き当てられる請求項１から請求項４のいずれか一項に記載のパラボラアンテナ装置。
【発明の詳細な説明】
【技術分野】
【０００１】
本発明は、パラボラアンテナ装置に関する。
【背景技術】
【０００２】
気象レーダーや衛星通信、電波望遠鏡などには、パラボラアンテナ装置が用いられている。パラボラアンテナ装置には、椀状に形成されたパラボラ反射鏡と、パラボラ反射鏡の内面に向けて電磁波を放射する放射器と、を備えたものがある（例えば特許文献１参照）。また、パラボラアンテナ装置には、パラボラ反射鏡の周縁から径方向内側に延びる複数のステーの先端部において放射器を支持したものがある。
従来、この種のパラボラアンテナ装置において、複数のステーは、パラボラ反射鏡の外面側（裏側）に設けられてパラボラ反射鏡の強度を補強するフレーム（補強フレーム）に取り付けられる。パラボラ反射鏡に対する補強フレームの取付精度は低い。このため、従来のパラボラアンテナ装置は、パラボラ反射鏡の周縁から放射器に至る各ステーの長さを調整ねじによって調整することで、パラボラ反射鏡に対する放射器の位置決めを行っている。
【先行技術文献】
【特許文献】
【０００３】
【特許文献１】特開２０１６−１４６５８９号公報
【発明の概要】
【発明が解決しようとする課題】
【０００４】
しかしながら、上記従来のパラボラアンテナ装置では、調整ねじによって放射器の位置決めを行う必要があるため、パラボラアンテナ装置の製造（特に組立作業）が面倒である、という問題がある。
また、パラボラ反射鏡の内面側に配されるステーが、調整ねじによる放射器の位置決めに際して撓んでしまうと、パラボラアンテナ装置の電波特性が変化してしまう、という問題がある。
【０００５】
本発明は、上述した事情に鑑みたものであって、容易に製造することができ、かつ、ステーに基づく電波特性の変化を抑制できるパラボラアンテナ装置を提供することを目的とする。
【課題を解決するための手段】
【０００６】
本発明の一態様によるパラボラアンテナ装置は、椀状に形成されたパラボラ反射鏡と、前記パラボラ反射鏡の内面に向けて電磁波を放射する放射器と、前記パラボラ反射鏡の周縁から径方向において前記パラボラ反射鏡の内側に延び、延長方向の先端部において前記放射器を支持する複数のステーと、を備え、前記パラボラ反射鏡の周縁側に位置する各ステーの延長方向の基端部が、前記パラボラ反射鏡の外周面に突き当てた状態で前記パラボラ反射鏡の外面側に固定されたベース部に取り付けられていることを特徴とする。
【０００７】
上記構成のパラボラアンテナ装置では、各ベース部がパラボラ反射鏡の外周面（周縁）を基準としてパラボラ反射鏡に固定され、各ベース部に各ステーの基端部が取り付けられる。これにより、寸法精度が高いパラボラ反射鏡の周縁を基準として、各ステーを径方向においてパラボラ反射鏡の内側に延ばすことができる。このため、各ステーの延長方向の寸法精度を高めるだけで、複数のステーの先端部に設けられる放射器を、パラボラ反射鏡に対して簡単に高い精度で位置決めすることができる。したがって、パラボラアンテナ装置を容易に製造することが可能となる。
また、パラボラアンテナ装置の製造に際して、従来のように各ステーの長さを調整ねじによって調整する必要がなくなるため、各ステーに撓みが発生することも抑制できる。したがって、ステーに基づくパラボラアンテナ装置の電波特性の変化を抑制できる。
【０００８】
前記パラボラアンテナ装置では、前記ベース部が、前記内面と前記外周面との境界線に対して位置決めされてもよい。
【０００９】
また、前記パラボラアンテナ装置では、前記パラボラ反射鏡が、該パラボラ反射鏡の周方向に配列された複数の周方向分割体を備え、前記ベース部が、前記周方向に隣り合う二つの前記周方向分割体の外周面に突き当てられると共に、一方の前記周方向分割体の前記境界線に対して位置決めされてもよい。
【００１０】
さらに、前記パラボラアンテナ装置では、前記パラボラ反射鏡が、前記内面及び前記外面をなす椀状板部と、前記椀状板部の周縁から前記パラボラ反射鏡の軸方向において前記椀状板部の外面側に延びて前記外周面をなす環状リブと、前記椀状板部の外面から突出すると共に前記環状リブの内周面から前記椀状板部の径方向内側に延びる径方向リブと、を備え、前記ベース部は、前記環状リブのうち前記径方向リブが接続された部位に突き当てられてもよい。
【００１１】
また、前記パラボラアンテナ装置は、前記パラボラ反射鏡が、前記内面及び前記外面をなす椀状板部と、前記椀状板部の周縁から前記パラボラ反射鏡の軸方向において前記椀状板部の外面側に延びて前記外周面をなす環状リブと、を備え、
前記ベース部が、前記環状リブの外周面のうち前記環状リブの延長方向の基端部に突き当てられてもよい。
【発明の効果】
【００１２】
本発明によれば、パラボラアンテナ装置を容易に製造でき、かつ、パラボラアンテナ装置の電波特性の変化を抑制できる。
【図面の簡単な説明】
【００１３】
【図１】本発明の一実施形態に係るパラボラアンテナ装置を示す側面図である。
【図２】図１のパラボラ反射鏡をその内面側から見た斜視図である。
【図３】図１のパラボラ反射鏡をその外面側から見た斜視図である。
【図４】図２，３のパラボラ反射鏡を構成する一つの周方向分割体を示す斜視図である。
【図５】図２，３のパラボラ反射鏡を構成する中央分割体と周方向分割体との接続を示す概略断面図である。
【図６】図１〜３のパラボラ反射鏡の周縁部分をパラボラ反射鏡の外面側から見た拡大斜視図である。
【図７】図１〜３のパラボラ反射鏡の周縁部分をパラボラ反射鏡の内面側から見た拡大斜視図である。
【図８】図１〜３のパラボラ反射鏡の周縁部分をパラボラ反射鏡の周方向から見た拡大断面図である。
【図９】図１〜３のパラボラ反射鏡の周縁部分をパラボラ反射鏡の外面側から見た拡大断面図である。
【図１０】図１〜３のパラボラ反射鏡に取り付けられるステーの基端部を示す拡大断面図である。
【図１１】図１〜３のパラボラ反射鏡の内面側に配されるステーと導波管との関係を示す概略断面図である。
【図１２】図１〜３のパラボラ反射鏡の中央部に設けた治具取り付け部を示す拡大断面図である。
【図１３】図１２の治具取り付け部に放射器位置決め治具を取り付けた状態を示す図である。
【図１４】図１２の治具取り付け部に他の放射器位置決め治具を取り付けた状態を示す図である。
【発明を実施するための形態】
【００１４】
以下、図１〜１３を参照して本発明の一実施形態について説明する。
図１〜３に示すように、本実施形態に係るパラボラアンテナ装置１は、パラボラ反射鏡２と、放射器３と、複数のステー４と、を備える。また、パラボラアンテナ装置１は、導波管５を備える。
【００１５】
パラボラ反射鏡２は、椀状に形成されている。パラボラ反射鏡２は、その軸方向（Ｘ軸方向；以下、単に軸方向とも呼ぶ。）から見た平面視で円形状に形成されている。
パラボラ反射鏡２の内面１１は、凹面状に形成されて放射器３から放射された電磁波を反射する凹状反射面１２を含む。パラボラ反射鏡２の内面１１は、例えば凹状反射面１２に加え、凹状反射面１２の周縁に形成されて、パラボラ反射鏡２の軸方向において凹状反射面１２と同じ方向に向く平坦な縁部面を含んでもよい。すなわち、パラボラ反射鏡２は、例えば「縁あり」の反射鏡であってもよい。本実施形態において、パラボラ反射鏡２の内面１１は、凹状反射面１２のみによって構成されている。そして、凹状反射面１２はパラボラ反射鏡２の外周面１３と直接つながっている（図８参照）。すなわち、本実施形態のパラボラ反射鏡２は、「縁なし」の反射鏡である。
【００１６】
パラボラ反射鏡２の外面１４は、軸方向において内面１１と反対側に向く面であり、主に凹状反射面１２に対応する凸面状に形成されている。
パラボラ反射鏡２の外周面１３は、内面１１の周縁から主に軸方向において外面１４側に延びる面である。本実施形態の外周面１３は、軸方向において外面１４側に向かうにしたがって径方向外側に傾斜している（図８参照）。すなわち、外周面１３の径寸法は、軸方向において内面１１側から外面１４側に向けて徐々に大きくなっている。
【００１７】
図３，６，８に示すように、本実施形態のパラボラ反射鏡２は、内面１１及び外面１４をなす椀状板部２１と、外周面１３をなす環状リブ２２と、を備える。環状リブ２２は、椀状板部２１の周縁から軸方向において椀状板部２１の外面１４側に延びている。環状リブ２２は、椀状板部２１の周縁において周方向に延びる帯板を環状に形成して構成されている。すなわち、軸方向における環状リブ２２の寸法は、パラボラ反射鏡２の寸法と比較して十分に小さい。
【００１８】
さらに、本実施形態のパラボラ反射鏡２は、椀状板部２１の外面１４に形成された径方向リブ２３を備える。径方向リブ２３は、図３，６，８，９に示すように、椀状板部２１の外面１４から突出すると共に環状リブ２２の内周面２４から椀状板部２１の径方向内側に延びている。径方向リブ２３は、椀状板部２１の外面１４上において、椀状板部２１の径方向に延びる帯板状に形成されている。径方向リブ２３は、例えば椀状板部２１の外面１４の中心に到達してもよいが、本実施形態では到達していない。径方向リブ２３は、椀状板部２１の周方向に互いに間隔をあけて複数（図示例では八つ）配列されている。
上記した椀状板部２１、環状リブ２２及び径方向リブ２３は、一体に形成されている。環状リブ２２及び径方向リブ２３は、椀状板部２１の剛性を向上させる役割を果たす。
【００１９】
図２，３に示すように、本実施形態のパラボラ反射鏡２は、その周方向に配列された複数（図示例では八つ）の周方向分割体２５を備える。また、本実施形態のパラボラ反射鏡２は、その内面１１のうち中央領域をなす中央分割体２６を備える。このため、複数の周方向分割体２５は、中央分割体２６を囲むようにパラボラ反射鏡２の周方向に配列され、パラボラ反射鏡２の内面１１の周縁領域をなす。
図３，５に示すように、中央分割体２６は、パラボラ反射鏡２の外面１４側に突出する筒状フランジ部２７を有する。筒状フランジ部２７の内周面には、周方向分割体２５を中央分割体２６にねじ止めするためのナット部品２８が固定されている。
【００２０】
図４に示すように、周方向における周方向分割体２５の両端には、周方向に隣り合う周方向分割体２５同士をねじ止め等によって相互に接続する接続用リブ３１が形成されている。接続用リブ３１は、前述した径方向リブ２３を構成する。径方向における周方向分割体２５の外側の縁には、前述した環状リブ２２を構成する外縁リブ３２が形成されている。径方向における周方向分割体２５の内側の縁には、周方向分割体２５の外面１４から突出すると共に周方向に延びる内縁リブ３３が形成されている。内縁リブ３３は、図５に示すように、周方向分割体２５を中央分割体２６に固定するために用いられる。
【００２１】
周方向分割体２５と中央分割体２６とを固定する際には、ねじ３４を筒状フランジ部２７の外周面側から内縁リブ３３及び筒状フランジ部２７に順番に通した上で、ナット部品２８に取り付ければよい。
上記した周方向分割体２５や中央分割体２６は、例えば炭素繊維強化プラスチック（ＣＦＲＰ）等によって形成されてよい。
【００２２】
図１，３に示すように、上記したパラボラ反射鏡２の外面１４には、パラボラ反射鏡２を補強する補強フレーム６が取り付けられている。補強フレーム６は、環状フレーム部４１と、複数の棒状フレーム部４２と、を備える。
環状フレーム部４１は、平面視環状に形成され、径方向におけるパラボラ反射鏡２の外面１４の中途部に配されている。環状フレーム部４１は、ねじ止め等によって複数の径方向リブ２３に固定されている。各棒状フレーム部４２は、パラボラ反射鏡２の径方向に延びるように、径方向リブ２３に沿って配されている。各棒状フレーム部４２は、周方向分割体２５の内縁リブ３３、径方向リブ２３、並びに環状フレーム部４１に固定されている。
【００２３】
図１，２に示すように、放射器３は、パラボラ反射鏡２の凹状反射面１２（内面１１）に向けて電磁波を放射する。放射器３は、後述する複数のステー４によってパラボラ反射鏡２の軸方向において凹状反射面１２に対して間隔をあけて配される。具体的に、放射器３は、凹状反射面１２の中心を通るパラボラ反射鏡２の軸線Ａ１上に位置する。
【００２４】
各ステー４は、パラボラ反射鏡２の内面１１側に配され、パラボラ反射鏡２の周縁から径方向においてパラボラ反射鏡２の内側に延びている。具体的に、各ステー４は、パラボラ反射鏡２の周縁からパラボラ反射鏡２の内側に向かうにしたがって軸方向においてパラボラ反射鏡２から離れるように延びている。
複数（図示例では四つ）のステー４は、パラボラ反射鏡２の周方向に間隔をあけて配列されている。複数のステー４は、その延長方向の先端部４Ａにおいて互いに結合している。複数のステー４は、その延長方向の先端部４Ａにおいて放射器３を支持する。具体的に、放射器３は、複数のステー４の先端部４Ａに固定される（図１３参照）。
【００２５】
図６〜９に示すように、パラボラ反射鏡２の周縁側に位置する各ステー４の延長方向の基端部４Ｂは、ベース部７に取り付けられている。
ベース部７は、パラボラ反射鏡２の外周面１３に突き当てられる。ベース部７は、パラボラ反射鏡２の外周面１３に面接触するように形成されている。ベース部７は、パラボラ反射鏡２の外周面１３に突き当てた状態でパラボラ反射鏡２の外面１４側に固定される。本実施形態において、ベース部７は、パラボラ反射鏡２の径方向リブ２３にねじ止め等によって固定される。
【００２６】
図７，８に示すように、ベース部７は、パラボラ反射鏡２の内面１１（図示例では凹状反射面１２）と外周面１３との境界線１５に対して位置決めされている。ベース部７は、境界線１５に一致させる位置合わせ線５１を有する。本実施形態において、位置合わせ線５１はパラボラ反射鏡２の外周面１３に面接触するベース部の面の周縁によって構成されている。
【００２７】
図７，９に示すように、ベース部７は、周方向に隣り合う二つの周方向分割体２５（２５Ａ，２５Ｂ）の外周面１３に突き当てられる。そして、ベース部７は、二つの周方向分割体２５のうち一方の周方向分割体２５Ａにおける境界線１５に対して位置決めされる。すなわち、ベース部７は他方の周方向分割体２５Ｂにおける境界線１５に対して位置決めされない。
具体的には、ベース部７のうち一方の周方向分割体２５Ａの外周面１３に突き当たるベース部７の第一部位５２が、他方の周方向分割体２５の外周面１３に突き当たるベース部７の第二部位５３よりもパラボラ反射鏡２の内面１１側に突出している。すなわち、ベース部７の位置合わせ線５１は、ベース部７の第一部位５２にのみ形成されている。
【００２８】
図６，９に示すように、ベース部７は、パラボラ反射鏡２の外周面１３をなす環状リブ２２のうち径方向リブ２３が接続された部位に突き当てられる。
本実施形態において、径方向リブ２３に接続される環状リブ２２の部位は、周方向における周方向分割体２５の端部である。このため、ベース部７は、周方向の端部に位置する周方向分割体２５の外周面１３の領域に突き当てられる。ベース部７が突き当てられる環状リブ２２の部位は、例えば径方向リブ２３に対してパラボラ反射鏡２の径方向に重なる重複部位であってもよいし、図９に例示するように周方向において重複部位の近くに位置する近傍部位であってよい。
【００２９】
図６〜８に示すように、ベース部７は、環状リブ２２の外周面１３のうちパラボラ反射鏡２の内面１１側に位置する環状リブ２２の延長方向の基端部に突き当てられる。すなわち、ベース部７は、環状リブ２２の延長方向の先端部には突き当てられない。
【００３０】
ベース部７は、例えばブロック状に形成されてもよい。本実施形態のベース部７は、図６，９に示すように、パラボラ反射鏡２の周方向に配列されてステー４を挟み込む一対のベース板部５４，５５によって構成されている。一対のベース板部５４，５５は、周方向において径方向リブ２３も挟み込む。一対のベース板部５４，５５は、ステー４や径方向リブ２３を挟み込んだ上で、ねじ止め等によって互いに固定される。
各ベース板部５４，５５は、ステー４や径方向リブ２３に面接触する任意の形状に形成されてよい。本実施形態のベース板部５４，５５は平板状に形成されている。一対のベース板部５４，５５は、例えば同一の形状に形成されてよいが、本実施形態では互いに異なる。一対のベース板部５４，５５のうち第一ベース板部５４は位置合わせ線５１を有するベース部７の第一部位５２を含み、第二ベース板部５５はベース部７の第二部位５３を含む。
【００３１】
図６，７，９に示すように、本実施形態のステー４は、筒状のパイプである。ステー４は、例えば円筒状のパイプであってもよいが、本実施形態では角筒状のパイプである。これにより、ステー４を平板状のベース板部５４，５５に面接触させることができる。
図９，１０に示すように、ベース部７に取り付けられるステー４の延長方向の基端部４Ｂには、ブロック５６が埋め込まれてよい。ブロック５６は、主に、ステー４をベース部７にねじ止めするための孔をステー４の基端部４Ｂに形成するために設けられる。
【００３２】
図１〜３に示すように、導波管５は、パラボラ反射鏡２の外面１４からステー４に沿って放射器３まで延びるように配され、電磁波を放射器３に伝える。導波管５は、図３，６に示すように、パラボラ反射鏡２の外面１４側において、補強フレーム６を介さずに、パラボラ反射鏡２に直接取り付けられる。
具体的に、導波管５は、複数（図示例では四つ）の支持具５７を介してパラボラ反射鏡２に取り付けられる。複数の支持具５７は、導波管５の長手方向において互いに間隔をあけて配列されている。各支持具５７は、補強フレーム６に干渉しないように、パラボラ反射鏡２の外面１４から離れる方向に延びている。導波管５は、各支持具５７の先端部に取り付けられる。これにより、導波管５は、パラボラ反射鏡２の外面１４から間隔をあけた位置に配される。本実施形態において、各支持具５７の基端部は、径方向リブ２３に取り付けられる。
【００３３】
図２，１１に示すように、導波管５は、パラボラ反射鏡２の内面１１側において、ステー４に対してパラボラ反射鏡２の軸方向に重なるように配される。具体的に、導波管５は、ステー４よりもパラボラ反射鏡２から離れた位置に配される。導波管５は、その長手方向に間隔をあけて配列された複数（図示例では二つ）の支持具５８を介してステー４に取り付けられる。
ステー４は、その延長方向（図１１においてＬ方向）及びパラボラ反射鏡２の軸方向に直交する幅方向（図１１においてＷ方向）における導波管５の両端からはみ出さないように配される。
【００３４】
図６，７に示すように、導波管５は、パラボラ反射鏡２の周縁において、ステー４の場合と同様にベース部７によって支持されている。
本実施形態において、パラボラアンテナ装置１は上記した導波管５を二つ備え、二つの導波管５は互いに別個のステー４に沿うように配されているが、これに限ることはない。導波管５は、例えば一つ又は三つ以上であってもよい。また、例えば、複数の導波管５が同一のステーに沿うように配されてもよい。
【００３５】
また、本実施形態のパラボラアンテナ装置１では、図５，１２，１３に例示するように、治具取り付け部８がパラボラ反射鏡２の中央部に設けられてよい。パラボラ反射鏡２の中央部は、パラボラ反射鏡２の軸線Ａ１が通る部位である。治具取り付け部８は、パラボラ反射鏡２の内面１１（凹状反射面１２）の中央に対して放射器３を位置決めする放射器位置決め治具１００をパラボラ反射鏡２の内面１１側から取り付けるように構成されている。以下、この点について具体的に説明する。
【００３６】
パラボラ反射鏡２の中央部には、軸方向において内面１１側から外面１４側に貫通する嵌め入れ孔１６が形成されている。治具取り付け部８は、嵌め入れ孔１６に嵌め入れられる。治具取り付け部８のうちパラボラ反射鏡２の内面１１側に露出する面６１（露出面６１）には、放射器位置決め治具１００を治具取り付け部８にねじ止めするための雌ねじ孔６２が開口している。また、治具取り付け部８の露出面６１には、放射器位置決め治具１００を挿入する挿入孔６３が開口している。挿入孔６３は、例えば有底の孔であってもよいが、本実施形態ではパラボラ反射鏡２の軸方向に貫通している。
また、治具取り付け部８は、嵌め入れ孔１６に嵌め入れられた状態でパラボラ反射鏡２の外面１４に突き当たるフランジ部６４を備える。フランジ部６４をパラボラ反射鏡２の外面１４に突き当てることで、放射器位置決め治具１００が配される治具取り付け部８の露出面６１を、高い精度で位置決めできる。
【００３７】
放射器位置決め治具１００は、パラボラ反射鏡２の内面１１の中央部から軸方向に延びる棒状に形成されている。位置決め対象である放射器３は、放射器位置決め治具１００の先端部に配される。放射器位置決め治具１００の基端部には、治具取り付け部８の露出面６１に面接触する接触端面１０１と、接触端面１０１から突出して治具取り付け部８の挿入孔６３に挿入される挿入部１０２と、が形成されている。
放射器位置決め治具１００を治具取り付け部８に取り付ける際には、はじめに、挿入部１０２を治具取り付け部８の挿入孔６３に挿入し、かつ、接触端面１０１を治具取り付け部８の露出面６１に面接触させればよい。次いで、ねじ１０３をパラボラ反射鏡２の内面１１側から放射器位置決め治具１００の基端部に通した上で、治具取り付け部８の雌ねじ孔６２にねじ込めばよい。
【００３８】
以上のように構成される本実施形態のパラボラアンテナ装置１は、例えば気象レーダー等であり、図１に例示するように、パラボラ反射鏡２が取り付けられる回転台９を備える。回転台９は、鉛直方向に延びる鉛直軸線Ａ２（図１において上下方向に延びる軸線）及び水平方向に延びる水平軸線Ａ３（図１において紙面に垂直な方向に延びる軸線）を中心として、パラボラ反射鏡２を回転させる。これにより、パラボラ反射鏡２を回転台９によって様々な方向に向けることができる。
【００３９】
以上説明したように、本実施形態のパラボラアンテナ装置１では、各ベース部７がパラボラ反射鏡２の外周面１３（周縁）を基準としてパラボラ反射鏡２に固定され、各ベース部７に各ステー４の基端部４Ｂが取り付けられる。これにより、寸法精度が高いパラボラ反射鏡２の周縁を基準として、各ステー４を径方向においてパラボラ反射鏡２の内側に延ばすことができる。このため、各ステー４の延長方向の寸法精度（ステー４の加工精度）を高めるだけで、複数のステー４の先端部４Ａに設けられる放射器３を、パラボラ反射鏡２に対して簡単に高い精度で位置決めすることができる。したがって、パラボラアンテナ装置１を容易に製造することが可能となる。
【００４０】
また、パラボラアンテナ装置１の製造に際して、従来のように各ステー４の長さを調整ねじによって調整する必要がなくなるため、各ステー４に撓みが発生することも抑制できる。したがって、ステー４に基づくパラボラアンテナ装置１の電波特性の変化を抑制できる。
また、ベース部７が補強フレーム６を介さずにパラボラ反射鏡２に直接固定されるため、パラボラ反射鏡２に対する補強フレーム６の取り付け位置の影響を受けることなく、ステー４を高い位置精度でパラボラ反射鏡２に取り付けることができる。
【００４１】
また、本実施形態のパラボラアンテナ装置１では、ベース部７がパラボラ反射鏡２の内面１１と外周面１３との境界線１５に対して位置決めされる。このため、ベース部７をパラボラ反射鏡２に対してさらに高い精度で位置決めすることができる。したがって、パラボラ反射鏡２に対する放射器３の位置精度（特にパラボラ反射鏡２の軸方向における放射器３の位置精度）をさらに高めることができる。
【００４２】
また、本実施形態のパラボラアンテナ装置１では、ベース部７が、周方向に隣り合う二つの周方向分割体２５の外周面１３に突き当てられる場合に、一方の周方向分割体２５Ａにおける境界線１５のみに対して位置決めされる。このため、仮に、隣り合う二つのパラボラ分割体の間で境界線１５の位置が互いに一致していなくても、パラボラ反射鏡２に対するベース部７の位置決めを簡単かつ確実に行うことができる。
【００４３】
また、本実施形態のパラボラアンテナ装置１では、ベース部７が、環状リブ２２のうち径方向リブ２３が接続された部位に突き当てられる。このため、ベース部７を環状リブ２２の外周面１３に突き当てても、径方向リブ２３によって環状リブ２２が椀状板部２１に対して撓むように変形することを抑制できる。したがって、パラボラ反射鏡２に対するベース部７の位置（特にパラボラ反射鏡２の径方向における位置）が変化してしまうことを抑制できる。
【００４４】
また、本実施形態のパラボラアンテナ装置１では、ベース部７が、環状リブ２２の外周面１３のうち椀状板部２１の周縁から延びる環状リブ２２の延長方向の基端部に突き当てられる。このため、ベース部７をパラボラ反射鏡２の外周面１３に突き当てても、環状リブ２２が椀状板部２１に対して撓むように変形することを抑制できる。したがって、パラボラ反射鏡２に対するベース部７の位置（特にパラボラ反射鏡２の径方向における位置）が変化してしまうことを抑制できる。
【００４５】
また、本実施形態のパラボラアンテナ装置１において、ステー４は角筒状のパイプである。すなわち、ステー４は平坦な外面１４や角を含む外観を有する。このため、ステー４が円筒状のパイプである場合と比較して、各種の部品（例えば導波管５）をステー４に簡単に取り付けることができる。
また、角筒状のステー４には、円筒状のステー４と比較して、ステー４をベース部７にねじ止めするための孔や、ステー４に各種の部品を取り付けるための孔を簡単に形成することもできる。上記孔を簡単に形成できることは、パラボラアンテナ装置１の組み立て現場において上記孔を形成する場合に特に有効である。
【００４６】
また、ステー４が角筒状のパイプである場合には、ステー４の剛性が高くなるようにステー４を形成しても、ステー４によるパラボラアンテナ装置１の電波特性への影響を小さくできる。以下、この点について説明する。ステー４が円筒状のパイプである場合には、ステー４の径寸法を大きくする必要がある。このため、パラボラ反射鏡２の内面１１を軸方向から見た平面視で、パラボラ反射鏡２の内面１１に重なるステー４の面積（投影面積）が大きくなり、その結果として、パラボラアンテナ装置１の電波特性に対するステー４の影響が大きくなってしまう。これに対し、ステー４が角筒状のパイプである場合には、ステー４の断面を長方形の環状に形成することでステー４の剛性を高めることができる。そして、断面長方形の長辺がパラボラ反射鏡２の軸方向に延びるようにステー４を配置することで、パラボラ反射鏡２の内面１１に重なるステー４の面積を小さくすることができる。したがって、パラボラアンテナ装置１の電波特性に対するステー４の影響を小さくできる。
【００４７】
また、本実施形態のパラボラアンテナ装置１では、導波管５と重ねて配されるステー４が、その延長方向（Ｌ方向）及びパラボラ反射鏡２の軸方向に直交する幅方向（Ｗ方向）における導波管５の両端からはみ出さないように配される。これにより、パラボラアンテナ装置１の電波特性に対するステー４の影響を導波管５よりも小さくすることができる。
【００４８】
また、本実施形態のパラボラアンテナ装置１では、筒状に形成されたステー４の基端部４Ｂに、ブロック５６が埋め込まれている。これにより、パラボラアンテナ装置１の組み立て現場において、筒状のステー４を変形させることなく、ステー４をベースにねじ止めするための孔を、ステー４の基端部４Ｂに簡単に形成することができる。
【００４９】
また、本実施形態のパラボラアンテナ装置１では、導波管５が、補強フレーム６を介さずにパラボラ反射鏡２に直接取り付けられる。このため、導波管５が補強フレーム６を介してパラボラ反射鏡２に取り付けられる場合と比較して、パラボラ反射鏡２に対する補強フレーム６の取り付け位置の影響を受けることなく、導波管５を高い位置精度でパラボラ反射鏡２に取り付けることができる。すなわち、導波管５及びこれに接続される放射器３の位置決めを容易に行うことができる。
また、パラボラ反射鏡２に対する補強フレーム６の取り付け位置が、パラボラ反射鏡２に対する導波管５や放射器３の位置決めに影響しないため、補強フレーム６を高い精度でパラボラ反射鏡２に取り付ける必要がなくなる。したがって、パラボラ反射鏡２に対する補強フレーム６の取り付けも容易に行うことができる。
【００５０】
また、本実施形態のパラボラアンテナ装置１では、パラボラ反射鏡２が中央分割体２６及び複数の周方向分割体２５によって構成される場合に、中央分割体２６の筒状フランジ部２７の内周面に、周方向分割体２５を中央分割体２６にねじ止めするためのナット部品２８が固定される。これにより、作業者が筒状フランジ部２７の内側に入り込まなくても、簡単に周方向分割体２５を中央分割体２６にねじ止めすることができる。また、筒状フランジ部２７に雌ねじを直接形成する場合と比較して、筒状フランジ部２７を薄く形成できるため、パラボラアンテナ装置１の軽量化を図ることができる。
【００５１】
また、本実施形態のパラボラアンテナ装置１において、パラボラ反射鏡２は、凹状反射面１２と外周面１３とが直接つながった「縁なし」の反射鏡である。これにより、「縁あり」の反射鏡と比較して、パラボラ反射鏡２の小型化（特に径寸法の縮小化）を図ることができる。また、パラボラ反射鏡２を製造するための型（反射鏡製造用型）も小さくすることができるため、パラボラアンテナ装置１の製造コスト削減を図ることができる。さらに、反射鏡製造用型の形状が単純化されるため、パラボラ反射鏡２を簡単に製造することも可能となる。
【００５２】
また、本実施形態のパラボラアンテナ装置１では、パラボラ反射鏡２の中央部に、放射器位置決め治具１００をパラボラ反射鏡２の内面１１側から取り付けられるように、図１２に例示した治具取り付け部８が設けられている。これにより、図１３に例示するようにパラボラ反射鏡２の内面１１側における作業だけで、放射器位置決め治具１００を簡単にパラボラ反射鏡２に取り付けることができる。
【００５３】
なお、本実施形態の治具取り付け部８は、図１４に例示するように、放射器位置決め治具１００Ａをパラボラ反射鏡２の外面１４側から取り付けることもできるように構成されている。具体的に、治具取り付け部８のうちパラボラ反射鏡２の外面１４側に向く面６５（外側面６５）には、放射器位置決め治具１００Ａを治具取り付け部８にねじ止めするための雌ねじ孔６６が開口している。
このため、放射器位置決め治具１００Ａをパラボラ反射鏡２に取り付ける際には、はじめに、放射器位置決め治具１００Ａをパラボラ反射鏡２の外面１４側から治具取り付け部８の挿入孔６３に挿通させ、放射器位置決め治具１００Ａの基端部に形成されたフランジ部１０４Ａを、治具取り付け部８の外側面６５に突き当てればよい。次いで、ねじ１０３Ａをパラボラ反射鏡２の外面１４側から放射器位置決め治具１００Ａのフランジ部１０４Ａに通した上で、治具取り付け部８の雌ねじ孔６６にねじ込めばよい。
【００５４】
以上、本発明の詳細について説明したが、本発明は上述した実施形態に限定されるものではなく、本発明の趣旨を逸脱しない範囲において種々の変更を加えることができる。
【符号の説明】
【００５５】
１  パラボラアンテナ装置
２  パラボラ反射鏡
３  放射器
４  ステー
４Ａ  先端部
４Ｂ  基端部
５  導波管
６  補強フレーム
７  ベース部
８  治具取り付け部
９  回転台
１１  内面
１２  凹状反射面
１３  外周面
１４  外面
１５  境界線
２１  椀状板部
２２  環状リブ
２３  径方向リブ
２４  環状リブ２２の内周面
２５  周方向分割体
２５Ａ  一方の周方向分割体
２６  中央分割体
２７  筒状フランジ部
２８  ナット部品
５６  ブロック
１００，１００Ａ  放射器位置決め治具
【図１】
2019134275.tif 000003
【図２】
2019134275.tif 000004
【図３】
2019134275.tif 000005
【図４】
2019134275.tif 000006
【図５】
2019134275.tif 000007
【図６】
2019134275.tif 000008
【図７】
2019134275.tif 000009
【図８】
2019134275.tif 000010
【図９】
2019134275.tif 000011
【図１０】
2019134275.tif 000012
【図１１】
2019134275.tif 000013
【図１２】
2019134275.tif 000014
【図１３】
2019134275.tif 000015
【図１４】
2019134275.tif 000016